(57)【要約】【課題】  特別な部品や加工を必要とせず貯湯タンク内にある蛇管の破損を防ぐことが可能となる貯湯式給湯器を提供する。【解決手段】  湯水を貯湯する貯湯タンク１と、貯湯タンク１内に配置された間接熱交換器としての蛇管１７と、蛇管１７と外部配管とを繋ぐ上部接続口１１４及び下部接続口１１５と、蛇管１７を配管下部面で当接して支えている支持手段１１６を備えたもので、蛇管１７の支点である上部接続口１１４と下部接続口１１５と支持手段１１６の設置箇所を結ぶ直線が三角形になることで、揺れが最大になる支点が三点に分散されて蛇管１７にかかる負荷が軽減されるので、新たな部品を設けることなく蛇管１７の振動による破損を防止できる。【選択図】図３
2010230203.tif 000002
【特許請求の範囲】
【請求項１】
湯水を貯湯する貯湯タンクと、前記貯湯タンクの内部にあり該貯湯タンク内の温水を用いて熱量を得る間接熱交換器としての蛇管と、前記貯湯タンクの外壁部にあり前記蛇管と外部配管を接続する上部接続口と下部接続口と、前記貯湯タンクの内部にあり前記蛇管を支えるように設けられた支持手段とを備えたものに於いて、前記上部接続口と下部接続口とは左右に離間した位置に配置し、前記支持手段との間で結ぶ直線が三角形を形成されるようにしたことを特徴とする貯湯式給湯器。
【発明の詳細な説明】
【技術分野】
【０００１】
この発明は、湯水を貯湯する貯湯タンク内の温水と熱交換することにより浴槽水の追焚きや保温、床暖房等を行う貯湯式給湯器に関するものである。
【背景技術】
【０００２】
従来より、この種の貯湯式給湯器においては、図４に示すようなものがあった。
ここで、２１０は温水を貯湯する貯湯タンク、２２０は貯湯タンク２１０内の湯水を加熱する加熱手段、２３０は貯湯タンク２１０内の温水を給湯する給湯回路、２４０は浴槽、２５０は貯湯タンク２１０内に設置されている間接熱交換器としての蛇管、２６０は浴槽２４０と蛇管２５０とを循環可能に接続した風呂循環回路である。
【０００３】
このような構成をとることで、浴槽２４０内の残湯を風呂循環回路２６０を循環させて、貯湯タンク２１０内に設置されている蛇管２５０に流通させることで、浴槽２４０の湯水を追焚き又は保温することを可能としたものがあった。
【０００４】
ここで、貯湯タンク２１０の構成について図５の横断面図を用いて詳細に説明すると、貯湯タンク２１０は覆椀状の上部鏡板２１１、筒状の胴体２１２、椀状の下部鏡板２１３より構成され、蛇管２５０と外部配管を繋ぎ貯湯タンク２１０の外壁部にあり高さ方向に引いた直線上にある上部接続口２１４と下部接続口２１５がそれぞれ備えられている。
【０００５】
また、この従来例の蛇管２５０の支持について詳細には図示されず、又記載もされていないが、図６の縦断面図から貯湯タンク２１０の内部で上部接続口２１４と下部接続口２１５に対向する面において蛇管２５０を構成する配管下部一端面に当接するようにして設けられた支持手段２１６があった。（例えば、特許文献１参照）
【先行技術文献】
【特許文献】
【０００６】
【特許文献１】特開２００４−１４４３７０号公報
【発明の概要】
【発明が解決しようとする課題】
【０００７】
ところがこの従来のものでは、例えば製品を輸送する際に振動による揺れが発生した場合、蛇管は設置されている位置や形状の関係で揺れ幅が大きく、支持手段が存在していてもその振動による衝撃を受けきれず破損してしまうおそれがあった。
【課題を解決するための手段】
【０００８】
上記の課題を解決するために、本発明の請求項１では、湯水を貯湯する貯湯タンクと、前記貯湯タンクの内部にあり該貯湯タンク内の温水を用いて熱量を得る間接熱交換器としての蛇管と、前記貯湯タンクの外壁部にあり前記蛇管と外部配管を接続する上部接続口と下部接続口と、前記貯湯タンクの内部にあり前記蛇管を支えるように設けられた支持手段とを備えたものに於いて、前記上部接続口と下部接続口とは左右に離間した位置に配置し、前記支持手段との間で結ぶ直線が三角形を形成されるようにしたものである。
【発明の効果】
【０００９】
この発明によれば、蛇管の揺れが最大になる支持手段と蛇管の上部接続口と下部接続口で三角形を形成するように配置することで、揺れが最大になる支点が三点に分散され蛇管にかかる負荷が軽減されることで、貯湯タンクに過度の衝撃が与えられた際にも蛇管の破損を防ぐ事が可能となり、蛇管の接続口の設置箇所を変更することで新たな部品を追加する必要もなく構成簡単で安価に提供できるものである。
【図面の簡単な説明】
【００１０】
【図１】この発明の一実施例を表す貯湯式給湯器の概略構成図
【図２】本発明の貯湯タンクの横断面図
【図３】本発明の貯湯タンクの縦断面図
【図４】従来例の貯湯式給湯器の概略構成図
【図５】従来例の貯湯タンクの横断面図
【図６】従来例の貯湯タンクの縦断面図
【発明を実施するための形態】
【００１１】
以下、本発明の一実施の形態を図面に基づいて説明する。
図１は本発明の一実施形態を表す概略構成図である。１は湯水を貯湯する貯湯タンクであり、２は湯水を加熱する手段としてのヒートポンプユニット、３は浴槽である。
【００１２】
４は貯湯タンク１とヒートポンプユニット２を循環可能に接続する加熱循環回路で、加熱循環ポンプ５を有し貯湯タンク１下部に接続されたヒーポン往き管４a及び貯湯タンク１の上部に接続されたヒーポン戻り管４bより構成され、貯湯タンク１下部の低温水をヒーポン往き管４aを通してヒートポンプユニット２で加熱し、加熱された高温水をヒーポン戻り管４bから貯湯タンク１上部に戻して貯湯タンク１内に温水を加熱貯湯するものである。なお、貯湯タンク１の外周面には縦方向に複数の温度サーミスタ６a、６b、６c、６dを有しており、この温度サーミスタが所定温度以上を検知することで貯湯量を検知するものである。
【００１３】
７は貯湯タンク１に水を供給する給水管、８は貯湯タンク１内の湯水を出湯する出湯管、９は給水管７からの低温水と出湯管８からの高温水を設定温度になるように混合する混合弁、１０は混合された設定温度の湯水を給湯する給湯管、１１は給湯管１０の端部に設けられた給湯栓である。１２は混合弁９の下流に設けた給湯温度センサ、１３は給湯量をカウントする給湯流量センサである。なお、１４は水道水を所定の圧力に減圧する減圧弁、１５は加熱されることによる過圧を逃す圧力逃し弁である。
【００１４】
１６は風呂循環回路で、貯湯タンク１内に設けられた間接熱交換器を構成する螺旋状の蛇管１７と浴槽３とを風呂往き管１６a及び風呂戻り管１６bとで循環可能に接続するものである。１８は風呂循環回路１６に設けられた風呂循環ポンプ、１９は流水の有無を検知する流水センサ、２０は風呂循環回路１６を流れる浴槽水の温度を検出する風呂温度センサ、２１は浴槽水の水圧から浴槽３内の水位を検出する水位センサである。
【００１５】
２２は蛇管１７をバイパスして風呂往き管１６aと風呂戻り管１６bとを接続するバイパス管で、中間位置に置いて三方が全て連通する三方弁よりなる流路切り換え手段２３がバイパス管２２と風呂戻り管１６bの接続部に設けられ、風呂循環回路１６を流れる湯水を蛇管１７に流すか否かを選択できるものである。
【００１６】
２４は給湯管１０途中から分岐されて風呂循環回路１６に接続され浴槽３への湯張りを行うための湯張り管、２５はこの湯張り管２４に設けられ浴槽３への湯張りの開始、停止を行う湯張り弁、２６は浴槽３への湯張り量をカウントする風呂流量センサである。なお、２７は湯張り管２４と水位センサ２１の間に設けられる二方弁で、湯張り時に一旦開弁して風呂戻り管１６bの湯張り管２４から浴槽３までの配管のエアパージを行った後、閉弁して水位センサ２１で正確な水位を監視しながら湯張りを行えるようにするものである。
【００１７】
２８はヒートポンプユニット２の加熱制御を行う加熱制御部、２９は給湯及び風呂の制御を行う給湯風呂制御部である。
【００１８】
次に、この貯湯式給湯器の特徴的作動を以下に説明する。
前記給湯風呂制御部２９に接続されたリモコン（図示せず）にて風呂の追焚きが指示されると、風呂給湯制御部２９は流路切り換え手段２３を蛇管１７側に切り換えて風呂循環ポンプ１８を駆動し、浴槽３内の浴槽水を貯湯タンク１内の高温の温水中に設けられた蛇管１７を流通させ、貯湯タンク１の貯湯温水の熱を利用して浴槽水を加熱するものである。貯湯タンク１の温水を用いて浴槽３内の温水を追焚きあるいは保温可能にしたため、追焚きあるいは保温専用の電熱ヒータが不要となり、コストの低減及び電力消費量の低減を計ることができる。
【００１９】
次に、前記貯湯タンク１について図２で示した横断面図に基づいて説明すると、ステンレス板を深絞り加工により形成した覆椀状の上部鏡板１１１と、ステンレス板を筒状に形成した胴体１１２と、ステンレス板を深絞り加工により形成した椀状の下部鏡板１１３より構成されているものである。
【００２０】
貯湯タンク１内部には間接熱交換器としてステンレス製管材をコイル状に巻いた蛇管１７を備えており、その端部は貯湯タンク１の外壁部にあり高さ方向の直線上とずらした箇所にある上部接続口１１４と下部接続口１１５とで外部配管との連結が可能となり、蛇管１７を構成する配管下部一端面に当接するようして支持手段１１６が設けられている。
【００２１】
ここで、貯湯タンク１内にある蛇管１７の支持に関する詳細を図３で示した縦断面図を用いて説明する。
蛇管１７の支点の役割を持つ上部接続口１１４と下部接続口１１５は、同じく支点である支持手段１１６と設置箇所をそれぞれ直線で結ぶことによって三角形が形成されるようにする。
【００２２】
従って、振動が最大になる箇所であった蛇管１７の支点である上部接続口１１４と下部接続口１１５と支持手段１１６を同じ直線上からずらした三点にすることで、蛇管１７を縦方向と横方向で支持することができるため、過度の揺れを受けた際にも蛇管１７が破損する可能性を低く抑えることが可能となる。
【符号の説明】
【００２３】
１      貯湯タンク
１１４  上部接続口
１１５  下部接続口
１１６  支持手段
１７    蛇管
【図１】
2010230203.tif 000003
【図２】
2010230203.tif 000004
【図３】
2010230203.tif 000005
【図４】
2010230203.tif 000006
【図５】
2010230203.tif 000007
【図６】
2010230203.tif 000008